【手続補正書】
【提出日】平成15年8月1日(2003.8.1)
【手続補正１】
【補正対象書類名】明細書
【補正対象項目名】特許請求の範囲
【補正方法】変更
【補正の内容】
【特許請求の範囲】
【請求項１】
読み上げ対象の電子メールを格納する記憶手段と、電子メールを選択する条件を保持する選択条件保持手段と、前記記憶手段から、前記選択条件保持手段に保持する条件に合致した電子メールを選択する電子メール選択手段と、前記電子メール選択手段で選択した電子メールを合成音声で読み上げる読み上げ手段とを備えたことを特徴とする電子メール読み上げ装置。
【請求項２】
選択条件保持手段が保持する条件は、送信人名であることを特徴とする請求項１記載の電子メール読み上げ装置。
【請求項３】
選択条件保持手段が保持する条件は、キーワード，パスワード等であることを特徴とする請求項１記載の電子メール読み上げ装置。
【請求項４】
選択条件保持手段が保持する条件は、送信人名およびキーワード，パスワードなどであることを特徴とする請求項１記載の電子メール読み上げ装置。
【請求項５】
読み上げ対象の電子メールを格納する記憶手段と、電子メールの読み上げ時間を予測する読み上げ時間予測手段と、前記読み上げ時間予測手段で予測した時間に関係するメッセージを生成するメッセージ生成手段と、所要の情報を合成音声で読み上げる読み上げ手段と、制御手段とを備えた電子メール読み上げ装置であって、前記制御手段は、前記記憶手段から電子メールを取り出し、前記読み上げ時間予測手段で読み上げ時間を予測し、予測した時間が所定の時間を超えるとき、前記メッセージ生成手段でメッセージを生成し、このメッセージを前記読み上げ手段で読み上げさせるものであることを特徴とする電子メール読み上げ装置。
【請求項６】
読み上げ時間予測手段は、電子メールの本文の読み上げ時間を予測するものであることを特徴とする請求項５記載の電子メール読み上げ装置。
【請求項７】
制御手段は、メッセージを読み上げさせる際に、そのメッセージにかかる電子メールのヘッダー情報も併せて読み上げさせるものであることを特徴とする請求項５または請求項６記載の電子メール読み上げ装置。
【請求項８】
制御手段は、予測した時間が所定の時間を超えないとき、電子メールのヘッダー情報を読み上げ手段で読み上げさせるものであることを特徴とする請求項５または請求項６記載の電子メール読み上げ装置。
【請求項９】
遠隔装置からの指示を入力する指示入力手段と、
前記指示入力手段に入力された指示を解析する入力解析手段と、
読み上げの対象とする電子メール群を保持する電子メール保持手段と、
前記電子メール保持手段から、前記入力解析手段で解析した結果に基づいて、読み上げる電子メールを検索し、取り込む電子メール検索手段と、
前記電子メール検索手段で取り込んだ電子メールを保持する読み上げ電子メール保持手段と、
前記読み上げ電子メール保持手段に保持された電子メールを読み上げる時間を予測する読み上げ時間予測手段と、
前記読み上げ時間予測手段で予測した読み上げ時間を保持する読み上げ時間保持手段と、
前記入力解析手段で解析した結果に基づいて、電子メール読み上げの操作を制御する読み上げ操作制御手段と、
前記読み上げ操作制御手段により制御された操作に基づいて、前記読み上げ電子メール保持手段に保持された電子メールおよび前記読み上げ時間保持手段に保持された読み上げ時間の合成音声を生成する音声合成手段と、
前記音声合成手段で生成された合成音声を、前記遠隔装置に出力する音声出力手段とを備えたことを特徴とする電子メール読み上げ装置。
【請求項１０】
読み上げ時間保持手段に保持された時間を参照して、それを利用者に伝えるメッセージを生成するメッセージ生成手段と、
前記メッセージ生成手段により生成されたメッセージを保持する保持手段とを備え、
音声合成手段は前記保持手段に保持するメッセージの合成音声も生成するものであることを特徴とする請求項９記載の電子メール読み上げ装置。
【請求項１１】
電子メールを読み上げる時間を示すメッセージを行うか否かを決定する閾値時間を保持する閾値時間保持手段と、
前記閾値時間保持手段に保持された閾値時間と読み上げ時間保持手段に保持された読み上げ時間を比較して、読み上げ時間が閾値時間より長い場合にのみ前記メッセージを生成するように判定するメッセージ生成判定手段とを備えたことを特徴とする請求項１０記載の電子メール読み上げ装置。
【請求項１２】
読み上げ時間予測手段は、電子メールの本文を読み上げる時間を予測するものであることを特徴といる請求項９または請求項１１記載の電子メール読み上げ装置。
【請求項１３】
特定の条件に合致する電子メールのみを選択して読み上げることを特徴とする電子メール読み上げ装置についての電子メール読み上げ方法。
【請求項１４】
読み上げ対象の電子メールの読み上げ時間を予測し、予測した時間が所定の時間を超えるとき、予測した時間についてのメッセージを生成し読み上げることを特徴とする電子メール読み上げ装置についての電子メール読み上げ方法。
【請求項１５】
ＣＰＵを介して請求項１３または請求項１４記載の方法を実現するプログラムを格納した記憶媒体。
【手続補正２】
【補正対象書類名】明細書
【補正対象項目名】０００８
【補正方法】変更
【補正の内容】
【０００８】
（１）読み上げ対象の電子メールを格納する記憶手段と、電子メールを選択する条件を保持する選択条件保持手段と、前記記憶手段から、前記選択条件保持手段に保持する条件に合致した電子メールを選択する電子メール選択手段と、前記電子メール選択手段で選択した電子メールを合成音声で読み上げる読み上げ手段とを備えた電子メール読み上げ装置。
（２）選択条件保持手段が保持する条件は、送信人名である前記（１）記載の電子メール読み上げ装置。
（３）選択条件保持手段が保持する条件は、キーワード，パスワード等である前記（１）記載の電子メール読み上げ装置。
（４）選択条件保持手段が保持する条件は、送信人名およびキーワード，パスワードなどである前記（１）記載の電子メール読み上げ装置。
（５）読み上げ対象の電子メールを格納する記憶手段と、電子メールの読み上げ時間を予測する読み上げ時間予測手段と、前記読み上げ時間予測手段で予測した時間に関係するメッセージを生成するメッセージ生成手段と、所要の情報を合成音声で読み上げる読み上げ手段と、制御手段とを備えた電子メール読み上げ装置であって、前記制御手段は、前記記憶手段から電子メールを取り出し、前記読み上げ時間予測手段で読み上げ時間を予測し、予測した時間が所定の時間を超えるとき、前記メッセージ生成手段でメッセージを生成し、このメッセージを前記読み上げ手段で読み上げさせるものである電子メール読み上げ装置。
（６）読み上げ時間予測手段は、電子メールの本文の読み上げ時間を予測するものである前記（５）記載の電子メール読み上げ装置。
（７）制御手段は、メッセージを読み上げさせる際に、そのメッセージにかかる電子メールのヘッダー情報も併せて読み上げさせるものである前記（５）または（６）記載の電子メール読み上げ装置。
（８）制御手段は、予測した時間が所定の時間を超えないとき、電子メールのヘッダー情報を読み上げ手段で読み上げさせるものである前記（５）または（６）記載の電子メール読み上げ装置。
（９）遠隔装置からの指示を入力する指示入力手段と、
前記指示入力手段に入力された指示を解析する入力解析手段と、
読み上げの対象とする電子メール群を保持する電子メール保持手段と、
前記電子メール保持手段から、前記入力解析手段で解析した結果に基づいて、読み上げる電子メールを検索し、取り込む電子メール検索手段と、
前記電子メール検索手段で取り込んだ電子メールを保持する読み上げ電子メール保持手段と、
前記読み上げ電子メール保持手段に保持された電子メールを読み上げる時間を予測する読み上げ時間予測手段と、
前記読み上げ時間予測手段で予測した読み上げ時間を保持する読み上げ時間保持手段と、
前記入力解析手段で解析した結果に基づいて、電子メール読み上げの操作を制御する読み上げ操作制御手段と、
前記読み上げ操作制御手段により制御された操作に基づいて、前記読み上げ電子メール保持手段に保持された電子メールおよび前記読み上げ時間保持手段に保持された読み上げ時間の合成音声を生成する音声合成手段と、
前記音声合成手段で生成された合成音声を、前記遠隔装置に出力する音声出力手段とを備えた電子メール読み上げ装置。
（１０）読み上げ時間保持手段に保持された時間を参照して、それを利用者に伝えるメッセージを生成するメッセージ生成手段と、
前記メッセージ生成手段により生成されたメッセージを保持する保持手段とを備え、
音声合成手段は前記保持手段に保持するメッセージの合成音声も生成するものである前記（９）記載の電子メール読み上げ装置。
（１１）電子メールを読み上げる時間を示すメッセージを行うか否かを決定する閾値時間を保持する閾値時間保持手段と、
前記閾値時間保持手段に保持された閾値時間と読み上げ時間保持手段に保持された読み上げ時間を比較して、読み上げ時間が閾値時間より長い場合にのみ前記メッセージを生成するように判定するメッセージ生成判定手段とを備えた前記（１０）記載の電子メール読み上げ装置。
（１２）読み上げ時間予測手段は、電子メールの本文を読み上げる時間を予測するものである前記（９）または（１１）記載の電子メール読み上げ装置。
（１３）特定の条件に合致する電子メールのみを選択して読み上げる電子メール読み上げ装置についての電子メール読み上げ方法。
（１４）読み上げ対象の電子メールの読み上げ時間を予測し、予測した時間が所定の時間を超えるとき、予測した時間についてのメッセージを生成し読み上げる電子メール読み上げ装置についての電子メール読み上げ方法。
（１５）ＣＰＵを介して前記（１３）または（１４）記載の方法を実現するプログラムを格納した記憶媒体。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】